(57)【要約】【課題】移動する前と同じ操作で同一放送局の移動先の物理チャンネルを受信することができる放送受信機、放送受信方法、放送受信プログラム、及び記録媒体を提供する。【解決手段】放送波を受信する受信手段と、一つの放送波に対し、同一の放送を送信する物理チャンネルの情報を複数保存する保存手段とを備えたことにより、一つの放送局に対して複数の物理チャンネルを関連付けて受信可能チャンネル情報を保持することで、移動する前と同じ操作で同一放送局の移動先の物理チャンネルを受信することができる放送受信機、放送受信方法、放送受信プログラム、及び記録媒体の提供を実現することができる。【選択図】図１
2007235511.tif 000002
【特許請求の範囲】
【請求項１】
放送波を受信する受信手段と、一つの放送波に対し、同一の放送を送信する物理チャンネルの情報を複数保存する保存手段とを備えたことを特徴とする放送受信機。
【請求項２】
放送波を受信する受信手段と、一つの放送波に対し、同一の放送を送信する物理チャンネルの情報を複数保存する保存手段と、遠隔操作を行うリモコンと、一つのリモコン番号に対し、前記情報に基づいて複数の物理チャンネルを関連付ける制御手段とを備えたことを特徴とする放送受信機。
【請求項３】
放送波を受信する受信手段と、一つの放送波に対し、同一の放送を送信する物理チャンネルの情報を複数保存する保存手段と、選局時に、複数保存した物理チャンネルの中から視聴可能な物理チャンネルが見つかるまで受信確認を行い、視聴可能な物理チャンネルが見つかればその物理チャンネルで放送提示を行う制御手段とを備えたことを特徴とする放送受信機。
【請求項４】
放送波を受信する受信手段と、一つの放送波に対し、同一の放送を送信する物理チャンネルの情報を複数保存する保存手段と、選局時に、複数保存した物理チャンネルを順に受信確認し、受信状況の良い物理チャンネルで放送提示を行う制御手段とを備えたことを特徴とする放送受信機。
【請求項５】
放送波を受信し、一つの放送波に対し、同一の放送を送信する物理チャンネルの情報を複数保存することを特徴とする放送受信方法。
【請求項６】
放送波を受信し、一つの放送波に対し、同一の放送を送信する物理チャンネルの情報を複数保存し、遠隔操作を行うリモコンにおける一つのリモコン番号に対し、前記情報に基づいて複数の物理チャンネルを関連付けることを特徴とする放送受信方法。
【請求項７】
放送波を受信し、一つの放送波に対し、同一の放送を送信する物理チャンネルの情報を複数保存し、選局時に、複数保存した物理チャンネルの中から視聴可能な物理チャンネルが見つかるまで受信確認を行い、視聴可能な物理チャンネルが見つかればその物理チャンネルで放送提示を行うことを特徴とする放送受信方法。
【請求項８】
放送波を受信し、一つの放送波に対し、同一の放送を送信する物理チャンネルの情報を複数保存し、選局時に、複数保存した物理チャンネルを順に受信確認し、受信状況の良い物理チャンネルで放送提示を行うことを特徴とする放送受信方法。
【請求項９】
実質的なコンピュータに、放送波を受信する処理、一つの放送波に対し、同一の放送を送信する物理チャンネルの情報を複数保存する処理を実行させることを特徴とする放送受信プログラム。
【請求項１０】
実質的なコンピュータに、放送波を受信する処理、一つの放送波に対し、同一の放送を送信する物理チャンネルの情報を複数保存する処理、遠隔操作を行うリモコンにおける一つのリモコン番号に対し、前記情報に基づいて複数の物理チャンネルを関連付ける処理を実行させることを特徴とする放送受信プログラム。
【請求項１１】
実質的なコンピュータに、放送波を受信する処理、一つの放送波に対し、同一の放送を送信する物理チャンネルの情報を複数保存する処理、選局時に、複数保存した物理チャンネルの中から視聴可能な物理チャンネルが見つかるまで受信確認を行い、視聴可能な物理チャンネルが見つかればその物理チャンネルで放送提示を行う処理を実行させることを特徴とする放送受信プログラム。
【請求項１２】
実質的なコンピュータに、放送波を受信する処理、一つの放送波に対し、同一の放送を送信する物理チャンネルの情報を複数保存する処理、選局時に、複数保存した物理チャンネルを順に受信確認し、受信状況の良い物理チャンネルで放送提示を行う処理を実行させることを特徴とする放送受信プログラム。
【請求項１３】
請求項１０から１２のいずれか１項に記載の放送受信プログラムを記録したことを特徴とする記録媒体。
【発明の詳細な説明】
【技術分野】
【０００１】
本発明は、放送受信機、放送受信方法、放送受信プログラム、及び記録媒体に関する。
【背景技術】
【０００２】
放送受信機では、ユーザが視聴する放送局の番組を容易に選択できるよう、リモコンや放送受信機の数字キーに物理チャンネル（周波数）を割り当てたり、受信可能放送局一覧を画面に表示させて選択できるようにしたり、といった、受信可能チャンネル情報を登録する手段を持つ。
【０００３】
また、２００３年１２月１日から、関東・近畿・中京の３大広域圏で地上波のＵＨＦ（Ultra High Frequency）帯を使用して開始された地上デジタルテレビジョン放送では、リモコンの数字キーに割り当てる場合のデフォルトの番号（remote_control_key_id、略してリモコンキーＩＤ）が各放送局から送信される放送波に含まれて送出され、物理チャンネル番号ではなくリモコンキーＩＤがユーザに周知されるチャンネル番号となっている。
そのため、放送受信機内に受信可能チャンネル情報を保持し、放送局やリモコンキーＩＤと物理チャンネル番号（周波数）とを対応させておく必要がある。
【０００４】
受信可能チャンネル情報の作成方法としては、たとえば、予め放送受信機内に地域単位の受信可能チャンネル情報を保持しておき、放送受信機の設置時にユーザが設定した地域の受信可能チャンネル情報を利用する方法、チャンネルスキャンによって各物理チャンネル（周波数）の受信可否を確認して受信可能チャンネル情報を作成する方法などが存在する。
ユーザのキー操作等で放送局の選択が行われたとき、放送受信機では、受信可能チャンネル情報に基づいて、選択された放送局を受信できる物理チャンネルを選局する。
【０００５】
一方、サービスエリア内の中継局で放送波を一旦受信して送信する方式（再送信方式）には２種類の方式がある。１つはＳＦＮ（Single Frequency Network：単一周波数ネットワーク）方式であり、同一の周波数で再送信を行う。もう１つはＭＦＮ（Multi Frequency Network：多周波数ネットワーク）方式であり、異なる周波数で再送信を行う。
ＭＦＮ方式が運用されている地域でチャンネルスキャンを行うと、同一の放送局が複数の物理チャンネル（周波数）で見つかる場合がある。
【０００６】
同一放送局の放送が複数の物理チャンネルで受信できる場合の受信可能チャンネル情報は、固定受信機では、１つの放送局に対して１つの物理チャンネル（周波数）を割り当てている。たとえば、チャンネルスキャンで同一放送局の放送が複数の物理チャンネルで受信できた場合、Ｃ／Ｎまたはエラーレートの優れている物理チャンネルを一つ選択し受信可能チャンネル情報に保存する（例えば、特許文献１参照）。
【０００７】
固定受信機では、受信機設置時に受信可能チャンネル情報を１パターン設定すれば良い。しかし、移動しながら放送を受信する場合、受信できる放送局に対応する物理チャンネルが位置に応じて変化する。そのため、プリセット情報を場所ごとに複数持ち、移動先で適当な受信可能チャンネル情報を設定し直すことが行われている（例えば、特許文献２参照）。
【０００８】
また、関連のある複数のサービスをブーケでグループ化し、その関連を簡潔に識別することを目的とするものや（例えば、特許文献３参照）、チャンネル設定における不都合や不満を解消することを目的とするもの（例えば、特許文献４参照）が開発されている。
【特許文献１】特開２００２−３２０１５２号公報
【特許文献２】特開２００５−０４５５９２号公報
【特許文献３】特開２００２−１４１８７７号公報
【特許文献４】特開２００４−２０８１８６号公報
【発明の開示】
【発明が解決しようとする課題】
【０００９】
しかし、放送局と物理チャンネルとが１対１で関連付けられた受信可能チャンネル情報を複数持つ場合、ＭＦＮ方式が運用されていると、同一放送局のサービスエリア内であっても物理チャンネルが異なる場所へ移動した場合には、受信可能チャンネル情報の設定し直しが必要となり、不便である。
【００１０】
そこで、本発明の目的は、移動する前と同じ操作で同一放送局の移動先の物理チャンネルを受信することができる放送受信機、放送受信方法、放送受信プログラム、及び記録媒体を提供することにある。
【課題を解決するための手段】
【００１１】
上記課題を解決するため、請求項１記載の発明は、放送波を受信する受信手段と、一つの放送波に対し、同一の放送を送信する物理チャンネルの情報を複数保存する保存手段とを備えたことを特徴とする。
【００１２】
請求項２記載の発明は、放送波を受信する受信手段と、一つの放送波に対し、同一の放送を送信する物理チャンネルの情報を複数保存する保存手段と、遠隔操作を行うリモコンと、一つのリモコン番号に対し、前記情報に基づいて複数の物理チャンネルを関連付ける制御手段とを備えたことを特徴とする。
【００１３】
請求項３記載の発明は、放送波を受信する受信手段と、一つの放送波に対し、同一の放送を送信する物理チャンネルの情報を複数保存する保存手段と、選局時に、複数保存した物理チャンネルの中から視聴可能な物理チャンネルが見つかるまで受信確認を行い、視聴可能な物理チャンネルが見つかればその物理チャンネルで放送提示を行う制御手段とを備えたことを特徴とする。
【００１４】
請求項４記載の発明は、放送波を受信する受信手段と、一つの放送波に対し、同一の放送を送信する物理チャンネルの情報を複数保存する保存手段と、選局時に、複数保存した物理チャンネルを順に受信確認し、受信状況の良い物理チャンネルで放送提示を行う制御手段とを備えたことを特徴とする。
【００１５】
請求項５記載の発明は、放送波を受信し、一つの放送波に対し、同一の放送を送信する物理チャンネルの情報を複数保存することを特徴とする。
【００１６】
請求項６記載の発明は、放送波を受信し、一つの放送波に対し、同一の放送を送信する物理チャンネルの情報を複数保存し、遠隔操作を行うリモコンにおける一つのリモコン番号に対し、前記情報に基づいて複数の物理チャンネルを関連付けることを特徴とする。
【００１７】
請求項７記載の発明は、放送波を受信し、一つの放送波に対し、同一の放送を送信する物理チャンネルの情報を複数保存し、選局時に、複数保存した物理チャンネルの中から視聴可能な物理チャンネルが見つかるまで受信確認を行い、視聴可能な物理チャンネルが見つかればその物理チャンネルで放送提示を行うことを特徴とする。
【００１８】
請求項８記載の発明は、放送波を受信し、一つの放送波に対し、同一の放送を送信する物理チャンネルの情報を複数保存し、選局時に、複数保存した物理チャンネルを順に受信確認し、受信状況の良い物理チャンネルで放送提示を行うことを特徴とする。
【００１９】
請求項９記載の発明は、実質的なコンピュータに、放送波を受信する処理、一つの放送波に対し、同一の放送を送信する物理チャンネルの情報を複数保存する処理を実行させることを特徴とする。
【００２０】
請求項１０記載の発明は、実質的なコンピュータに、放送波を受信する処理、一つの放送波に対し、同一の放送を送信する物理チャンネルの情報を複数保存する処理、遠隔操作を行うリモコンにおける一つのリモコン番号に対し、前記情報に基づいて複数の物理チャンネルを関連付ける処理を実行させることを特徴とする。
【００２１】
請求項１１記載の発明は、実質的なコンピュータに、放送波を受信する処理、一つの放送波に対し、同一の放送を送信する物理チャンネルの情報を複数保存する処理、選局時に、複数保存した物理チャンネルの中から視聴可能な物理チャンネルが見つかるまで受信確認を行い、視聴可能な物理チャンネルが見つかればその物理チャンネルで放送提示を行う処理を実行させることを特徴とする。
【００２２】
請求項１２記載の発明は、実質的なコンピュータに、放送波を受信する処理、一つの放送波に対し、同一の放送を送信する物理チャンネルの情報を複数保存する処理、選局時に、複数保存した物理チャンネルを順に受信確認し、受信状況の良い物理チャンネルで放送提示を行う処理を実行させることを特徴とする。
【００２３】
請求項１３記載の発明は、請求項１０から１２のいずれか１項に記載の放送受信プログラムを記録した記録媒体であることを特徴とする。
【発明の効果】
【００２４】
本発明によれば、放送波を受信する受信手段と、一つの放送波に対し、同一の放送を送信する物理チャンネルの情報を複数保存する保存手段とを備えたことにより、移動する前と同じ操作で同一放送局の移動先の物理チャンネルを受信することができる放送受信機、放送受信方法、放送受信プログラム、及び記録媒体の提供を実現することができる。
【発明を実施するための最良の形態】
【００２５】
本発明に係る放送受信機の一実施形態は、放送波を受信する受信手段と、一つの放送波に対し、同一の放送を送信する物理チャンネルの情報を複数保存する保存手段とを備えたことを特徴とする。
【００２６】
受信手段としては、例えば、地上デジタルテレビジョン放送の受像機、ＢＳ（Broadcasting Satellite）デジタルテレビジョン放送の受像機、地上波／ＢＳアナログテレビジョン放送の受像機、ＡＭ（Altitude Modulation）ラジオ放送の受信機、ＦＭ（Frequency Modulation）ラジオ放送の受信機等が挙げられる。
保存手段としては、例えば、ＲＡＭ（Random Access Memory）、ＰＲＯＭ（Programmable Read Only Memory）が挙げられる。
【００２７】
上記構成により、一つの放送局に対して複数の物理チャンネルを関連付けて受信可能チャンネル情報を保持することで、移動する前と同じ操作で同一放送局の移動先の物理チャンネルを受信することができる。
【００２８】
本発明に係る放送受信機の他の実施形態は、放送波を受信する受信手段と、一つの放送波に対し、同一の放送を送信する物理チャンネルの情報を複数保存する保存手段と、遠隔操作を行うリモコンと、一つのリモコン番号に対し、情報に基づいて複数の物理チャンネルを関連付ける制御手段とを備えたことを特徴とする。
【００２９】
リモコンとしては、例えば、赤外線を用いたものやブルートゥースを用いたものが挙げられる。
【００３０】
上記構成により、リモコンの受信可能チャンネル情報を設定し直さずに、一つの放送局に対して複数の物理チャンネルを関連付けて受信可能チャンネル情報を保持することで、リモコンの受信可能チャンネル情報を設定し直さずに、移動する前と同じ操作で同一放送局の移動先の物理チャンネルを受信することができる。
【００３１】
本発明に係る放送受信機の他の実施形態は、放送波を受信する受信手段と、一つの放送波に対し、同一の放送を送信する物理チャンネルの情報を複数保存する保存手段と、選局時に、複数保存した物理チャンネルの中から視聴可能な物理チャンネルが見つかるまで受信確認を行い、視聴可能な物理チャンネルが見つかればその物理チャンネルで放送提示を行う制御手段とを備えたことを特徴とする。
【００３２】
制御手段としては、例えば、放送受信機に内蔵されたマイクロプロセッサが挙げられる。
【００３３】
上記構成により、受信可能チャンネル情報を設定し直さずに、一つの放送局に対して複数の物理チャンネルを関連付けて受信可能チャンネル情報を保持することで、リモコンの受信可能チャンネル情報を設定し直さずに、移動する前と同じ操作で同一放送局の移動先の物理チャンネルを受信することができる。
【００３４】
本発明に係る放送受信機の他の実施形態は、放送波を受信する受信手段と、一つの放送波に対し、同一の放送を送信する物理チャンネルの情報を複数保存する保存手段と、選局時に、複数保存した物理チャンネルを順に受信確認し、受信状況の良い物理チャンネルで放送提示を行う制御手段とを備えたことを特徴とする。
【００３５】
上記構成により、受信可能チャンネル情報を設定し直さずに、ユーザとしては移動する前と同じ操作で同一放送局の移動先の物理チャンネルを受信することができるので、一つの放送局に対して複数の物理チャンネルを関連付けて受信可能チャンネル情報を保持することができる。
【００３６】
本発明に係る放送受信方法の一実施形態は、放送波を受信し、一つの放送波に対し、同一の放送を送信する物理チャンネルの情報を複数保存することを特徴とする。
【００３７】
上記構成により、受信可能チャンネル情報を設定し直さずに、一つの放送局に対して複数の物理チャンネルを関連付けて受信可能チャンネル情報を保持することで、リモコンの受信可能チャンネル情報を設定し直さずに、移動する前と同じ操作で同一放送局の移動先の物理チャンネルを受信することができる。
【００３８】
本発明に係る放送受信方法の他の実施形態は、放送波を受信し、一つの放送波に対し、同一の放送を送信する物理チャンネルの情報を複数保存し、遠隔操作を行うリモコンにおける一つのリモコン番号に対し、情報に基づいて複数の物理チャンネルを関連付けることを特徴とする。
【００３９】
上記構成により、リモコンの受信可能チャンネル情報を設定し直さずに、一つの放送局に対して複数の物理チャンネルを関連付けて受信可能チャンネル情報を保持することで、リモコンの受信可能チャンネル情報を設定し直さずに、移動する前と同じ操作で同一放送局の移動先の物理チャンネルを受信することができる。
【００４０】
本発明に係る放送受信方法の他の実施形態は、放送波を受信し、一つの放送波に対し、同一の放送を送信する物理チャンネルの情報を複数保存し、選局時に、複数保存した物理チャンネルの中から視聴可能な物理チャンネルが見つかるまで受信確認を行い、視聴可能な物理チャンネルが見つかればその物理チャンネルで放送提示を行うことを特徴とする。
【００４１】
上記構成により、受信可能チャンネル情報を設定し直さずに、一つの放送局に対して複数の物理チャンネルを関連付けて受信可能チャンネル情報を保持することで、リモコンの受信可能チャンネル情報を設定し直さずに、移動する前と同じ操作で同一放送局の移動先の物理チャンネルを受信することができる。
【００４２】
本発明に係る放送受信方法の他の実施形態は、放送波を受信し、一つの放送波に対し、同一の放送を送信する物理チャンネルの情報を複数保存し、選局時に、複数保存した物理チャンネルを順に受信確認し、受信状況の良い物理チャンネルで放送提示を行うことを特徴とする。
【００４３】
上記構成により、受信可能チャンネル情報を設定し直さずに、一つの放送局に対して複数の物理チャンネルを関連付けて受信可能チャンネル情報を保持することで、リモコンの受信可能チャンネル情報を設定し直さずに、移動する前と同じ操作で同一放送局の移動先の物理チャンネルを受信することができる。
【００４４】
本発明に係る放送受信プログラムの一実施形態は、実質的なコンピュータに、放送波を受信する処理、一つの放送波に対し、同一の放送を送信する物理チャンネルの情報を複数保存する処理を実行させることを特徴とする。
実質的なコンピュータは、例えば、放送受信機に内蔵されたマイクロプロセッサが挙げられる。
【００４５】
上記構成により、受信可能チャンネル情報を設定し直さずに、一つの放送局に対して複数の物理チャンネルを関連付けて受信可能チャンネル情報を保持することで、リモコンの受信可能チャンネル情報を設定し直さずに、移動する前と同じ操作で同一放送局の移動先の物理チャンネルを受信することができる。
【００４６】
本発明に係る放送受信プログラムの他の実施形態は、実質的なコンピュータに、放送波を受信する処理、一つの放送波に対し、同一の放送を送信する物理チャンネルの情報を複数保存する処理、遠隔操作を行うリモコンにおける一つのリモコン番号に対し、前記情報に基づいて複数の物理チャンネルを関連付ける処理を実行させることを特徴とする。
【００４７】
上記構成により、リモコンの受信可能チャンネル情報を設定し直さずに、一つの放送局に対して複数の物理チャンネルを関連付けて受信可能チャンネル情報を保持することで、リモコンの受信可能チャンネル情報を設定し直さずに、移動する前と同じ操作で同一放送局の移動先の物理チャンネルを受信することができる。
【００４８】
本発明に係る放送受信プログラムの他の実施形態は、実質的なコンピュータに、放送波を受信する処理、一つの放送波に対し、同一の放送を送信する物理チャンネルの情報を複数保存する処理、選局時に、複数保存した物理チャンネルの中から視聴可能な物理チャンネルが見つかるまで受信確認を行い、視聴可能な物理チャンネルが見つかればその物理チャンネルで放送提示を行う処理を実行させることを特徴とする。
【００４９】
上記構成により、受信可能チャンネル情報を設定し直さずに、一つの放送局に対して複数の物理チャンネルを関連付けて受信可能チャンネル情報を保持することで、リモコンの受信可能チャンネル情報を設定し直さずに、移動する前と同じ操作で同一放送局の移動先の物理チャンネルを受信することができる。
【００５０】
本発明に係る放送受信プログラムの他の実施形態は、実質的なコンピュータに、放送波を受信する処理、一つの放送波に対し、同一の放送を送信する物理チャンネルの情報を複数保存する処理、選局時に、複数保存した物理チャンネルを順に受信確認し、受信状況の良い物理チャンネルで放送提示を行う処理を実行させることを特徴とする。
【００５１】
上記構成により、受信可能チャンネル情報を設定し直さずに、一つの放送局に対して複数の物理チャンネルを関連付けて受信可能チャンネル情報を保持することで、リモコンの受信可能チャンネル情報を設定し直さずに、移動する前と同じ操作で同一放送局の移動先の物理チャンネルを受信することができる。
【００５２】
本発明に係る記録媒体は、上記いずれかの放送受信プログラムを記録したことを特徴とする。
【００５３】
以上で説明した本発明の放送受信装置は、コンピュータで放送受信処理を実行させる放送受信プログラムによって実現されている。このような放送受信プログラムは、コンピュータに読み取り可能な記憶媒体に記憶されていてもよい。
【００５４】
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、ＨＤＤ（Hard Disc Driver）、フラッシュメモリ、ＲＡＭ（Random Access Memory）、ＲＯＭ（Read Only Memory）、ＦｅＲＡＭ（強誘電体メモリ）等の半導体メモリが挙げられる。
【００５５】
なお、上述した実施の形態は、本発明の好適な実施の形態の一例を示すものであり、本発明はそれに限定されることなく、その要旨を逸脱しない範囲内において、種々変形実施が可能である。
【００５６】
以上において、本発明によれば、受信可能チャンネル情報を作成する時に一つの放送局に一つの物理チャンネルを割り当てる方法では、同一放送局のサービスエリア内であってもＭＦＮ方式が運用されて物理チャンネルが異なるエリア間で移動した場合には受信可能チャンネル情報を設定し直さなくてはならない。しかし、本発明のように、一つの放送局に複数の物理チャンネルを割り当てる方法では、受信可能チャンネル情報を設定し直さずに、ユーザとしては移動する前と同じ操作で同一放送局の移動先の物理チャンネルを受信することができる。
【実施例１】
【００５７】
次に本発明に係る放送受信装置の一実施例について説明する。
〔実施例の構成〕
図１は、本発明に係る放送受信機の一実施例を示すブロック図である。
同図に示す放送受信機１０は、アンテナ１１と、放送受信部１２と、キー入力部１３と、制御部１４と、表示部１５と、音声提示部１６と、受信可能チャンネル情報保持部１７とで構成される。
【００５８】
アンテナ１１は放送波を受信し、受信した放送波の信号は、放送受信部１２へ入力される。
アンテナ１１としては、例えば、ＵＨＦ帯の場合には、八木宇田アンテナ（含むスタックアンテナ）、ロッドアンテナ、ループアンテナ等が挙げられる。
放送受信部１２では、制御部１４によって指定されたチャンネルに該当する周波数の信号を受信し、復調する。
制御部１４は、受信制御、受信データ（映像、音声など）のデコード、表示制御など、放送受信機１０における制御処理全般を行う。
放送受信部１２から出力された受信データは、制御部１４にて映像、音声などへデコードされ、表示部１５へ表示、および、音声提示部１６へ提示される。
キー入力部１３はチャンネル設定などユーザからの放送受信に関する指示を受け付ける部分であり、入力された情報は制御部１４へ入力され、受信制御、表示制御に利用される。
受信可能チャンネル情報保持部１７は、選局時に使用する、受信可能チャンネル情報を保持する部分である。
【００５９】
〔実施例の動作の説明〕
図２は、一般的なチャンネルスキャン動作の一例を示すフローである。
受信確認する物理チャンネル（ＣＨ）の範囲と順番を決める（セットする）（ステップＳ１）。
最初に受信確認する物理チャンネルについて選局を行い、受信可能か否かの確認を行う（ステップＳ２）。
放送波有無の情報を保存する（ステップＳ３）。
放送波があるか否かを判断する（ステップＳ４）。
放送波を受信できなかった場合（ステップＳ４／ｎｏ）は、次の物理チャンネルの受信確認へ移る。すなわち、次に受信確認するＣＨがあるか否かを判断する（ステップＳ６）。
放送波を受信できた場合（ステップＳ４／ｙｅｓ）は、放送波から必要な情報を取得し（ステップＳ５）、次の物理チャンネルの受信確認へ移る（ステップＳ６）。
次に受信確認するＣＨがある場合（ステップＳ６／ｙｅｓ）は、次に受信確認するＣＨをセットする。これを受信確認する物理チャンネルすべてに対して行う（ステップＳ７）。
次に受信確認するＣＨがない場合（ステップＳ６／ｎｏ）は終了となる。
【００６０】
表１は、地上デジタルテレビジョン放送を受信する放送受信機でのスキャン結果の例であり、スキャン時に受信可能だった物理チャンネルの一覧である。
【表１】
2007235511.tif 000003
【００６１】
同表において、放送局名、network_id、remote_control_key_id、および、送信物理チャンネルは、スキャン時に放送波から取得した情報である。network_idは地上デジタルテレビジョン放送では１送出マスターに対して１つ割り当てられており、放送局のＩＤに相当する。送信物理チャンネルは、放送波内の地上分配システム記述子に記載される送信周波数を物理チャンネルに変換したものである。この送信周波数のフィールドには、ＭＦＮ方式が運用されている時には、複数の周波数が記載される。
【００６２】
このようにして得られたチャンネルスキャン結果を用いて、本発明では、各放送局に対して同一放送を送信する物理チャンネルを複数関連付けて、受信可能チャンネル情報を作成する。
【００６３】
表１のスキャン結果から作成した、本発明での受信可能チャンネル情報の例を表２に示す。
【表２】
2007235511.tif 000004
【００６４】
受信した放送波の放送局が、同一放送局か否かは、地上デジタルテレビジョン放送の場合、放送波に含まれるnetwork_idから判断できる。この例では、物理チャンネル１５、２５は同一network_idなので同一放送であると判断し、物理チャンネル１５、２５を受信可能チャンネル情報の放送局Ａについての物理チャンネルリストに保存する。
さらに、表２の例では、スキャンで受信できた物理チャンネルだけでなく、地上分配システム記述子に記載された送信周波数についても物理チャンネルリストに保存している。
【００６５】
このようにして作成した受信可能チャンネル情報を用いて、指定された放送局の選局動作を行う。
【００６６】
図３は、本発明に係る放送受信機の選局フローの一例を示すフローである。
図３において、まず、ユーザがリモコンや放送受信機のキーを操作するなどの手段によって、視聴したい放送局を指定（選択）する（ステップＳ１１）。
次に、放送受信機では、受信可能チャンネル情報の中から指定された放送局の物理チャンネルリストを参照し、物理チャンネルリストの先頭の物理チャンネルを選局する（ステップＳ１２）。
ここで、視聴可能な放送波があるか否かを判断し（ステップＳ１３）、選択した放送局の放送波であるか否かを判断する（ステップＳ１４）。視聴可能な放送波を受信でき（ステップＳ１３／ｙｅｓ）、指定した放送局の放送波であれば（ステップＳ１４／ｙｅｓ）、受信できた物理ＣＨを物理ＣＨリストの先頭に移動し（ステップＳ１５）、そのままの物理チャンネルで視聴を行う。
【００６７】
放送波を受信できないか、あるいは受信できても視聴可能な再生品質が得られない、などで視聴可能な放送がなかったとき（ステップＳ１３／ｎｏ）、あるいは、受信できた放送が指定した放送局の放送と異なっていたとき（ステップＳ１４／ｎｏ）は、物理チャンネルリスト内の次の物理チャンネルを選局する。これを視聴可能かつ指定した放送局の放送がみつかるまで繰り返す（ステップＳ１６、ステップＳ１７）。
視聴可能かつ指定した放送局の放送がみつかった場合（ステップＳ１３／ｙｅｓ、ステップＳ１４／ｙｅｓ）、そのとき選局していた物理チャンネルを物理チャンネルリストの先頭に移動させる（ステップＳ１５）。
【００６８】
このようにすると、次にユーザがその放送局を同じ場所で選択したときに目的の物理チャンネルが物理チャンネルリストの先頭にあることになる。また、頻繁に選局する物理チャンネル、つまり、よく訪れる場所での物理チャンネルが物理チャンネルリストの前方に来ることになる。そのため、物理チャンネルリスト内を順に選局して視聴可能かつ指定した放送局の放送を視聴できるようになるまでの時間を短縮することができる。
【実施例２】
【００６９】
次に本発明に係る放送受信装置の他の実施例について説明する。
物理チャンネルリストに保存する物理チャンネルの順番は、どのように決定しても良い。ランダム順としても良いし、スキャン時の各物理チャンネルの受信状況に応じて決定しても良い。たとえば、スキャン時に受信状況が良かったものから順に物理チャンネルリストに保存することが考えられる。
【００７０】
また、図３の例では、実際に視聴可能だった物理チャンネルを物理チャンネルリストの先頭に移動しているが、受信できたときの受信状況を合わせて保存し、過去にその物理チャンネルを受信できたときの受信状況の最大値や平均値等が良い物理チャンネルの順番、あるいは、受信回数の多い物理チャンネルの順番等で物理チャンネルリストの順を決めても良い。
【００７１】
視聴可能な目的の放送が見つかったときの動作は、図３の例では見つかった物理チャンネルをそのまま受信し続けるフローとしたが、受信状況が悪化したときに再度物理チャンネルリスト内の物理チャンネルを受信確認していき、代替物理チャンネルを探す動作としても良い。
【００７２】
物理チャンネルリストを一周しても視聴可能放送局が見つからなかったときの動作は、図３の例では視聴可能放送局がみつかるまで物理チャンネルリストの先頭に戻って一周目と同様に確認し続けるフローとしたが、図４のように、２周目の動作を変えて、物理チャンネルリストの先頭チャンネルで受信できるまで待つようなフローとしても良い。
【００７３】
図４は、本発明に係る放送受信機の選局フローの他の一例を示すフローである。
図４において、まず、ユーザがリモコンや放送受信機のキーを操作するなどの手段によって、視聴したい放送局を指定（選択）する（ステップＳ２１）。
次に、放送受信機では、受信可能チャンネル情報の中から指定された放送局の物理チャンネルリストを参照し、物理チャンネルリストの先頭の物理チャンネルを選局する（ステップＳ２２）。
ここで、視聴可能な放送波があるか否かを判断し（ステップＳ２３）、選択した放送局の放送波であるか否かを判断する（ステップＳ２４）。視聴可能な放送波を受信でき（ステップＳ２３／ｙｅｓ）、指定した放送局の放送波であれば（ステップＳ２４／ｙｅｓ）、受信できた物理ＣＨを物理ＣＨリストの先頭に移動し（ステップＳ２５）、そのままの物理チャンネルで視聴を行う。
【００７４】
放送波を受信できないか、あるいは受信できても視聴可能な再生品質が得られない、などで視聴可能な放送がなかったとき（ステップＳ２３／ｎｏ）、あるいは、受信できた放送が指定した放送局の放送と異なっていたとき（ステップＳ２４／ｎｏ）は、物理チャンネルリストを全部確認したか否かを判断する（ステップＳ２６）。
物理ＣＨリスト全部確認したと判断したときは（ステップＳ２６／ｙｅｓ）、該当放送局の物理ＣＨリスト先頭の物理ＣＨを選局し（ステップＳ２７）、視聴可能な放送波がみつかるまで待ち（ステップＳ２８）、選択した放送局の放送波であるか否かを判断する（ステップＳ２９）。選択した放送局の放送波である場合（ステップＳ２９／ｙｅｓ）、受信できた物理ＣＨを物理ＣＨリストの先頭に移動し（ステップＳ２５）、そのままの物理チャンネルで視聴を行う。
物理ＣＨリスト全部確認していないと判断したときは（ステップＳ２６／ｎｏ）、次の物理ＣＨを選局し（ステップＳ３０）、ステップＳ２３に戻る。
選択した放送局の放送波でない場合（ステップＳ２９／ｎｏ）、次の物理ＣＨを選局し（ステップＳ３１）、ステップＳ２８に戻る。
このようにしても前述と同様の効果が得られる。
【００７５】
また、図３のような視聴可能かつ指定の放送局が見つかった物理チャンネルをそのまま受信し続けるフローでなく、図５のように物理チャンネルリストの全物理チャンネルに対して受信確認を行い、視聴可能かつ指定の放送局の物理チャンネルの中で受信状況が最良の物理チャンネルを再生物理チャンネルとするフローでも良い。
【００７６】
図５は、本発明に係る放送受信機の選局フローのさらに他の一例を示すフローである。
視聴したい放送局を指定（選択）する（ステップＳ５１）。
次に、放送受信機では、受信可能チャンネル情報の中から指定された放送局の物理チャンネルリストを参照し、物理チャンネルリストの先頭の物理チャンネルを選局する（ステップＳ５２）。
ここで、視聴可能な放送波があるか否かを判断し（ステップＳ５３）、選択した放送局の放送波であるか否かを判断する（ステップＳ５４）。
視聴可能な放送波を受信でき（ステップＳ５３／ｙｅｓ）、指定した放送局の放送波であれば（ステップＳ５４／ｙｅｓ）、受信状況を保存し（ステップＳ５５）、物理ＣＨリスト全部確認したか否かを判断し（ステップＳ５６）、物理ＣＨリスト全部確認したと判断した場合には（ステップＳ５６／ｙｅｓ）、受信状況が最良の物理ＣＨを選局し（ステップ５７）、そのまま視聴する。
物理ＣＨリスト全部確認していないと判断した場合（ステップＳ５６／ｎｏ）、次の物理ＣＨを選局し（ステップＳ５８）、ステップＳ５３に戻る。
【００７７】
このようにしても前述と同様の効果が得られる。
【００７８】
受信可能チャンネル情報の保存形式は、表２の例では物理チャンネルリストに物理チャンネル番号を保存しているが、周波数を保存しても良い。また、地上デジタル音声放送の場合は、物理チャンネル番号に対応する周波数情報が、物理チャンネル番号とセグメント番号、あるいは、物理チャンネル番号とサブチャンネル番号となる。
【００７９】
また、表２に示す例では、一つの放送局に対して、その放送局の送信物理チャンネル番号を関連付けて保存しているが、さらに、系列局のＩＤを関連付けて、選局時に目的の放送局の放送を物理チャンネルリストを一周しても受信できなかった場合やＧＰＳや携帯電話の基地局情報等の位置情報を参照して目的の放送局のサービスエリア外だった場合などに、系列局の物理チャンネルリストの受信確認に移るようにしても良い。一つの放送局に複数のnetwork_idを割り当てたり、一つのリモコン番号に対して複数の放送局を割り当てたりしても良い。
【００８０】
表３、４に示すように、ある位置での放送局Ａの物理チャンネルと放送局Ｂの物理チャンネルの関係を取得しておいて、選局時に利用してもよい。
【表３】
2007235511.tif 000005
【００８１】
【表４】
2007235511.tif 000006
【００８２】
たとえば、放送局Ａの物理チャンネルリストを受信していき、１５Ｃｈの受信確認時に放送局Ｂが受信でき、放送局Ａは１８Ｃｈで受信できたとき、放送局Ｂを受信できたチャンネル（１５Ｃｈ）と放送局Ａを受信できたチャンネル（１８Ｃｈ）を同一の受信パターンとして関連付けておき、放送局Ｂを１５Ｃｈで受信中に放送局Ａの選局が指定されたとき、１８Ｃｈの受信確認を優先するようにすることが考えられる。
【００８３】
受信可能チャンネル情報の作成方法は、チャンネルスキャンを例に挙げたが、チャンネルスキャンをせずに、予め地域ごとの受信可能チャンネル情報を受信機内に保持しておき、ＧＰＳ（Global Positioning System）等の位置情報を用いて設定するようにする、あるいは、ユーザの地域設定に従って設定するようにしてもかまわない。また、その予め保持した情報を、スキャン結果や選局時の受信結果を用いて更新したり、ユーザが更新したりしても良い。
【００８４】
放送受信部を複数搭載しても良い。たとえば、ある物理チャンネルで視聴中に、他の放送受信部で物理チャンネルリスト内の受信確認を行い、受信状況がより良い物理チャンネルが現れたらそちらに切り替える方法が考えられる。
【００８５】
同一放送の判断方法は、network_idを使用する例を挙げたが、放送波の類似度を見て判断しても良い。
【産業上の利用可能性】
【００８６】
本発明は、移動しながら使用する放送受信機、デジタル放送、アナログ放送、テレビジョン、ラジオに利用できる。
【図面の簡単な説明】
【００８７】
【図１】本発明に係る放送受信機の一実施例を示すブロック図である。
【図２】一般的なチャンネルスキャン動作の一例を示すフローである。
【図３】本発明に係る放送受信機の選局フローの一例を示すフローである。
【図４】本発明に係る放送受信機の選局フローの他の一例を示すフローである。
【図５】本発明に係る放送受信機の選局フローのさらに他の一例を示すフローである。
【符号の説明】
【００８８】
１０    放送受信機
１１    アンテナ
１２    放送受信部
１３    キー入力部
１４    制御部
１５    表示部
１６    音声提示部
１７    受信可能チャンネル情報保持部
【図１】
2007235511.tif 000007
【図２】
2007235511.tif 000008
【図３】
2007235511.tif 000009
【図４】
2007235511.tif 000010
【図５】
2007235511.tif 000011